(57)【要約】      （修正有）【課題】自動調理モードを実行し得るグリル付きコンロにおいて、自動調理モードが実行中であることをユーザに報知し得る構成を、部品点数を抑えた形で実現する。【解決手段】グリル付きコンロ１は、火力表示部２４と、表示制御部（制御回路）とを備える。表示制御部は、通常モードでの動作中には、火力表示部２４の表示を、火力調整部（電磁弁）で調整される火力に対応する表示とし、自動調理モードでの動作中には、通常モードのときの火力対応表示とは異なる表示パターンとなるように火力表示部２４の表示を制御する。【選択図】図１
2019044978.tif 000002
【特許請求の範囲】
【請求項１】
グリルバーナを備えたグリル庫と、
前記グリル庫を収容する構成をなし、前面側に前面パネルが配置されてなる筐体部と、
前記前面パネル側から露出する構成をなし、前記グリルバーナの点火操作及び消火操作に使用されるグリルスイッチと、
前記グリルバーナの火力を調整する操作に用いられる調整操作部と、
前記グリルバーナの火力を調整する火力調整部と、
前記前面パネルにおける前記グリルスイッチの周囲に表示領域が構成された火力表示部と、
予め定められた方式で前記グリルバーナを燃焼させる燃焼工程と前記燃焼工程の後に前記グリルバーナの燃焼を停止させて余熱で調理を行う余熱工程とが行われるモードである所定の自動調理モードに設定するためのモード設定操作に少なくとも使用される設定操作部と、
前記火力調整部を制御することで、前記グリルバーナの制御を行う調理制御部と、
前記火力表示部の表示を制御する表示制御部と、
を有し、
前記調理制御部は、
前記設定操作部によって前記モード設定操作がなされた場合に前記自動調理モードで動作し、前記燃焼工程と前記余熱工程とを行い、
前記設定操作部によって前記モード設定操作がなされていない場合に通常モードで動作し、前記グリルバーナの火力を前記調整操作部の操作状態に応じた火力とするように前記火力調整部を制御し、
前記表示制御部は、
前記調理制御部が前記通常モードで動作する場合には、前記火力表示部の表示を、前記火力調整部で調整される火力に対応する表示とし、
前記調理制御部が前記自動調理モードで動作する場合には、前記通常モードのときの火力対応表示とは異なる表示パターンとなるように前記火力表示部の表示を制御するグリル付きコンロ。
【請求項２】
前記グリル庫内には、前記グリルバーナとして、前記グリル庫内の所定位置に配置される上グリルバーナと、前記上グリルバーナよりも下側に配置される下グリルバーナと、が設けられ、
前記火力表示部は、複数の第１発光表示部を具備する上側表示部群と、複数の第２発光表示部を具備するとともに前記上側表示部群の下側に配置される下側表示部群と、を備え、
前記表示制御部は、
前記調理制御部が前記通常モードで動作する場合、前記上側表示部群の表示を、前記火力調整部で調整される前記上グリルバーナの火力に対応する表示とし、前記下側表示部群の表示を、前記火力調整部で調整される前記下グリルバーナの火力に対応する表示とし、
前記調理制御部が前記自動調理モードで動作する場合において、少なくとも前記余熱工程のときには、前記上側表示部群及び前記下側表示部群での表示位置を時間経過に応じて変化させる表示制御を行う請求項１に記載のグリル付きコンロ。
【請求項３】
前記表示制御部は、前記調理制御部が前記自動調理モードで動作する場合において、少なくとも前記余熱工程のときには、前記上側表示部群及び前記下側表示部群での表示パターンを定期的に切り替える表示制御を行い、且つ、切り替える複数の表示パターンの中に、前記通常モードのときに表示されない表示パターンを含ませる請求項２に記載のグリル付きコンロ。
【発明の詳細な説明】
【技術分野】
【０００１】
本発明は、グリル付きコンロに関するものである。
【背景技術】
【０００２】
特許文献１には、グリル付きコンロの一例が開示されている。特許文献１で開示されるグリル付きコンロは、制御部によって調理タイマを用いた自動調理工程を実行することが可能となっており、自動調理工程の一部に、グリルバーナを停止させて余熱による加熱を行う余熱調理工程が含まれている。
【先行技術文献】
【特許文献】
【０００３】
【特許文献１】特開２０１７−４６８９７号公報
【発明の概要】
【発明が解決しようとする課題】
【０００４】
ところで、この種のグリル付きコンロ（グリル庫内で自動調理を行うモードを実行し得るグリル付きコンロ）は、自動調理モードの実施中であるか否かをユーザが把握しにくいという問題がある。例えば、自動調理モードの実施中にグリルバーナの燃焼が停止して余熱工程に移行した場合、ユーザは、グリルバーナの燃焼が停止しているのを見て、既に調理が終了していると誤解してしまう虞がある。このような誤解が生じると、例えば、ユーザが余熱工程の実施中であることに気付かずにグリル庫内から調理物を取り出してしまい、本来予定された余熱工程を正常に終了することなく強制的に終わらせるような事態が生じることが懸念される。
【０００５】
このような問題を解消する方法としては、例えば、自動調理モードの実施中（例えば余熱工程中）に当該モードであることを知らしめるための所定の報知を行うことなどが考えられる。しかし、このような報知を行うために専用の報知手段（例えば、専用のＬＥＤなど）やそれに付随する専用回路などを設けると、部品点数が増大し、構成の複雑化やコストの高騰を招く虞がある。
【０００６】
本発明は、上述した課題の少なくとも一つを解決するためになされたものであり、自動調理モードを実行し得るグリル付きコンロにおいて、自動調理モードが実行中であることをユーザに報知し得る構成を、部品点数を抑えた形で実現することを目的とするものである。
【課題を解決するための手段】
【０００７】
本発明の一つであるグリル付きコンロは
グリルバーナを備えたグリル庫と、
前記グリル庫を収容する構成をなし、前面側に前面パネルが配置されてなる筐体部と、
前記前面パネル側から露出する構成をなし、前記グリルバーナの点火操作及び消火操作に使用されるグリルスイッチと、
前記グリルバーナの火力を調整する操作に用いられる調整操作部と、
前記グリルバーナの火力を調整する火力調整部と、
前記前面パネルにおける前記グリルスイッチの周囲に表示領域が構成された火力表示部と、
予め定められた方式で前記グリルバーナを燃焼させる燃焼工程と前記燃焼工程の後に前記グリルバーナの燃焼を停止させて余熱で調理を行う余熱工程とが行われるモードである所定の自動調理モードに設定するためのモード設定操作に少なくとも使用される設定操作部と、
前記火力調整部を制御することで、前記グリルバーナの制御を行う調理制御部と、
前記火力表示部の表示を制御する表示制御部と、
を有し、
前記調理制御部は、
前記設定操作部によって前記モード設定操作がなされた場合に前記自動調理モードで動作し、前記燃焼工程と前記余熱工程とを行い、
前記設定操作部によって前記モード設定操作がなされていない場合に通常モードで動作し、前記グリルバーナの火力を前記調整操作部の操作状態に応じた火力とするように前記火力調整部を制御し、
前記表示制御部は、
前記調理制御部が前記通常モードで動作する場合には、前記火力表示部の表示を、前記火力調整部で調整される火力に対応する表示とし、
前記調理制御部が前記自動調理モードで動作する場合には、前記通常モードのときの火力対応表示とは異なる表示パターンとなるように前記火力表示部の表示を制御する。
【発明の効果】
【０００８】
上記グリル付きコンロは、火力表示部の表示を制御する表示制御部を有し、この表示制御部は、調理制御部が通常モードで動作する場合には、火力表示部の表示を、火力調整部で調整される火力に対応する表示とし、調理制御部が自動調理モードで動作する場合には、通常モードのときの火力対応表示とは異なる表示パターンとなるように火力表示部の表示を制御する。
このように構成されるため、ユーザは、火力表示部の表示が火力対応表示とは異なる表示パターンとなっている様子を見たときに、グリル付きコンロが自動調理モードで動作していることを把握することができる。
しかも、通常モードのときに火力対応表示（火力調整部で調整される火力に対応する表示）を行う火力表示部を、自動調理モードの報知に兼用することができるため、自動調理モードが実行中であることをユーザに報知し得る構成を、部品点数を抑えた形で実現し得る。
また、自動調理モードで余熱工程に移行し、グリルバーナが消火状態となると、調理が完了しているとユーザが誤認識し、余熱調理中の被調理物を誤って取り出してしまう等の誤操作がなされる懸念があるが、本発明によれば、余熱工程中に特徴的な表示を行うことで調理中であることを報知することができるため、上述の誤操作などがなされにくくなる。
【図面の簡単な説明】
【０００９】
【図１】実施例１のガスコンロ（グリル付きコンロ）を概略的に例示する斜視図である。
【図２】実施例１のガスコンロの正面図を部分的に拡大して示す拡大図である。
【図３】実施例１のガスコンロの各ガスバーナへのガス供給路等を概念的に示す説明図である。
【図４】実施例１のガスコンロの電気的構成を概略的に例示するブロック図である。
【図５】実施例１のガスコンロの操作パネルを概略的に説明する説明図である。
【図６】（Ａ）は、通常モードにおける第１の火力状態のときの火力表示部の表示を説明する説明図であり、（Ｂ）は、第２の火力状態のときの火力表示部の表示を説明する説明図であり、（Ｃ）は、第３の火力状態のときの火力表示部の表示を説明する説明図であり、（Ｄ）は、第４の火力状態のときの火力表示部の表示を説明する説明図である。
【図７】自動調理モードのときの火力表示部の表示を説明する説明図である。
【発明を実施するための形態】
【００１０】
本発明の好ましい形態を以下に例示する。
グリル庫内には、グリルバーナとして、グリル庫内の所定位置に配置される上グリルバーナと、上グリルバーナよりも下側に配置される下グリルバーナと、が設けられていてもよい。火力表示部は、複数の第１発光表示部を具備する上側表示部群と、複数の第２発光表示部を具備するとともに上側表示部群の下側に配置される下側表示部群と、を備えていてもよい。表示制御部は、調理制御部が通常モードで動作する場合、上側表示部群の表示を、火力調整部で調整される上グリルバーナの火力に対応する表示とし、下側表示部群の表示を、火力調整部で調整される下グリルバーナの火力に対応する表示とし、前記調理制御部が前記自動調理モードで動作する場合において、少なくとも余熱工程のときには、上側表示部群及び下側表示部群での表示位置を時間経過に応じて変化させる表示制御を行うように動作してもよい。
このグリル付きコンロは、調理制御部が通常モードで動作する場合、上グリルバーナ及び下グリルバーナのそれぞれの火力状態を、火力表示部の表示によって具体的に知らせ得る。一方、このグリル付きコンロは、調理制御部が自動調理モードで動作する場合、少なくとも余熱工程のときに上側表示部群及び下側表示部群の表示を時間経過に応じて動的に変化させ得る。このように、調理が完了しているとユーザが誤認識しやすい余熱工程において特徴的な動的表示を行うことができるため、自動調理モードが継続中であることをユーザがより認識しやすくなる。
【００１１】
表示制御部は、調理制御部が自動調理モードで動作する場合において、少なくとも余熱工程のときには、上側表示部群及び下側表示部群での表示パターンを定期的に切り替える表示制御を行い、且つ、切り替える複数の表示パターンの中に、通常モードのときに表示されない表示パターンを含ませるように動作してもよい。
このグリル付きコンロは、少なくとも余熱工程のときに、通常モードのときに表示されない表示パターンを含んだ動的表示がなされるため、ユーザはこの動的表示を見たときに、通常モードではなく自動調理モードであることを一層確実に認識しやすくなる。
【００１２】
＜実施例１＞
（基本構成）
以下、実施例１について、図面を参照して説明する。
まず、図１〜図４等を参照し、グリル付きコンロ１の基本構成を説明する。
図１に示すグリル付きコンロ１は、ビルトインコンロとして構成され、上端部が開放した箱状の筐体部２と、筐体部２の上端部に固定される天板５（トッププレート）とを備え、天板５から露出するように、右こんろ部４Ａ、左こんろ部４Ｂ、小こんろ部４Ｃが設けられている。筐体部２は、グリル庫３などを収容する構成をなし、前面側に前面パネル７Ａ（図２も参照），７Ｂなどが配置されてなる。グリル庫３は、筐体部２の左右方向中央部付近に設けられ、グリル付きコンロ１の前面部に設けられたグリル扉３Ｂを前面部とする構成で箱状形態をなす収容部（箱状部）と、この収容部の内部に収容されるグリルバーナ（ガスバーナ５４：図３）とを備え、収容部の内部に収容された被調理物を加熱調理するように機能する。グリル庫３を構成する収容部は、グリル扉３Ｂによって開閉可能とされている。
【００１３】
右こんろ部４Ａ、左こんろ部４Ｂ、小こんろ部４Ｃ、グリル庫３のそれぞれには、図３で示すガスバーナ５１，５２，５３，５４がそれぞれ設けられている。筐体部２内には、ガス配管として、共通のガス流路である共通供給路６０と、共通供給路６０から分岐したガス流路である複数の分岐供給路６１，６２，６３，６４とが設けられ、共通供給路６０を通って流れたガスが、各分岐供給路６１，６２，６３，６４を通って各ガスバーナ５１，５２，５３，５４に導かれるようになっている。共通供給路６０には、共通供給路６０を開閉する元電磁弁Ｎ１が設けられている。分岐供給路６１には、分岐供給路６１を開閉可能な電磁弁（安全弁）５１Ｇ及び閉止弁５１Ｆと、ガスバーナ５１へのガス供給量を調整可能な火力調整弁５１Ｅとが設けられている。分岐供給路６２には、分岐供給路６２を開閉可能な電磁弁（安全弁）５２Ｇ及び閉止弁５２Ｆと、ガスバーナ５２へのガス供給量を調整可能な火力調整弁５２Ｅとが設けられている。分岐供給路６３には、分岐供給路６３を開閉可能な電磁弁（安全弁）５３Ｇ及び閉止弁５３Ｆと、ガスバーナ５３へのガス供給量を調整可能な火力調整弁５３Ｅとが設けられている。
【００１４】
グリルバーナとして機能するガスバーナ５４は、グリル庫３内において上側の所定位置（具体的には、被調理物の載置位置よりも上側）に配置される上グリルバーナ５４Ａ（以下の説明では、ガスバーナ５４Ａともいう）と、グリル庫３内において上グリルバーナ５４Ａよりも下側（被調理物の載置位置よりも下側）に配置される下グリルバーナ５４Ｂ（以下の説明では、ガスバーナ５４Ｂともいう）とを備える。共通供給路６０から分岐したガス流路である分岐供給路６４には、分岐供給路６４から分岐して上グリルバーナ５４Ａにガスを導くガス流路である第１供給路６５Ａと、分岐供給路６４から分岐して下グリルバーナ５４Ｂにガスを導くガス流路である第２供給路６５Ｂとが接続されている。分岐供給路６４には、分岐供給路６４を開閉可能な電磁弁（安全弁）５４Ｇ及び閉止弁５４Ｆが設けられ、第１供給路６５Ａには第１供給路６５Ａを開閉可能な複数の電磁弁５４Ｈ，５４Ｊが設けられ、第２供給路６５Ｂには第２供給路６５Ｂを開閉可能な電磁弁５４Ｋが設けられている。電磁弁５４Ｊ，５４Ｋは、ガスバーナ５４（グリルバーナ）の火力を調整する火力調整部の一例に相当する。
【００１５】
図１に示すように、グリル付きコンロ１の前面部付近には、右こんろ部４Ａ、左こんろ部４Ｂ、小こんろ部４Ｃ、グリル庫３にそれぞれ対応するように４つの回転操作部６Ａ，６Ｂ，６Ｃ，６Ｄがそれぞれ設けられている。第１の回転操作部６Ａ、第４の回転操作部６Ｄは、筐体部２の前面部の一部を構成する右側の前面パネル７Ａから露出するように設けられ、第２の回転操作部６Ｂ、第３の回転操作部６Ｃは、筐体部２の前面部の一部を構成する左側の前面パネル７Ｂから露出するように設けられている。第１の回転操作部６Ａは、右こんろ部４Ａを構成するガスバーナ５１の点火、消火、火力調整を行うものであり、第２の回転操作部６Ｂは、左こんろ部４Ｂを構成するガスバーナ５２の点火、消火、火力調整を行うものであり、第３の回転操作部６Ｃは、小こんろ部４Ｃを構成するガスバーナ５３の点火、消火、火力調整を行うものである。第４の回転操作部６Ｄは、ガスバーナ５４（グリルバーナ）の点火、消火、火力調整を行うものである。図１の例では、回転操作部６Ａ，６Ｂ，６Ｃ，６Ｄのいずれも、使用者が押す毎に退避位置と突出位置とに切り替わるようになっている。
【００１６】
次に、図４等を参照してグリル付きコンロ１の電気的構成について説明する。
図４において制御回路１０は、例えばマイクロコンピュータとして構成されており、図４のように、ＣＰＵ１０Ａ、ＲＯＭ１０Ｂ、ＲＡＭ１０Ｃなどを備え、更に、図示しないタイマ、Ｉ／Ｏインタフェイスなどを備える。なお、図示はしていないが、制御回路１０の内部又は外部に不揮発性メモリを設けてもよい。
【００１７】
図４で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。スイッチ３０Ａ，３０Ｂ，３０Ｃ，３０Ｄは、いずれも点火スイッチとして機能し、回転操作部６Ａ，６Ｂ，６Ｃ，６Ｄのいずれにおいても、回転操作部が退避位置（消火位置）のときには対応するスイッチがオフ状態となり、このスイッチに対応する点火信号入力回路から制御回路１０にオフ信号が与えられる。また、回転操作部が突出位置（点火位置）のときには対応するスイッチがオン状態となり、このスイッチに対応する点火信号入力回路から制御回路１０にオン信号が与えられる。例えば、図１のように、回転操作部６Ｄが退避位置にあるときにはスイッチ３０Ｄがオフ状態となり、このとき点火信号入力回路４０Ｄは制御回路１０に対してオフ状態を示す信号（オフ信号）を入力する。また、図１の二点鎖線６Ｄ’のように回転操作部６Ｄが突出位置にあるときにはスイッチ３０Ｄがオン状態となり、このとき点火信号入力回路４０Ｄは、制御回路１０にオン状態を示す信号（オン信号）を入力する。
【００１８】
更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、回転操作部の変位（回転位置）を対応する変位検出部（エンコーダ等の回転角度センサなど）が検出し、この変位検出部に対応する火力信号入力回路から変位検出部が検出した変位（回転位置）に応じた信号が制御回路１０に与えられる。例えば、回転操作部６Ｄに対応して設けられた変位検出部３２Ｄは、回転操作部６Ｄの変位（回転位置）を検出し得るようになっており、この変位検出部３２Ｄに対応する火力信号入力回路４２Ｄから制御回路１０に対し、変位検出部３２Ｄが検出した変位（即ち、回転操作部６Ｄの回転位置）に応じた信号が与えられる。
【００１９】
図３、図４のように、各ガスバーナ５１，５２，５３，５４Ａ，５４Ｂのそれぞれに隣接して熱電対５１Ｃ，５２Ｃ，５３Ｃ，５４Ｃ、５４Ｄがそれぞれ設けられ、熱電対５１Ｃ，５２Ｃ，５３Ｃ，５４Ｃ、５４Ｄのそれぞれに対応して温度信号入力回路４４Ａ，４４Ｂ，４４Ｃ，４４Ｄ，４４Ｅがそれぞれ設けられている。更に、各ガスバーナ５１，５２，５３，５４のそれぞれに隣接してイグナイタ２８Ａ，２８Ｂ，２８Ｃ，２８Ｄがそれぞれ設けられ、イグナイタ２８Ａ，２８Ｂ，２８Ｃ，２８Ｄのそれぞれに対応してイグナイタ回路４６Ａ，４６Ｂ，４６Ｃ，４６Ｄがそれぞれ設けられている。
【００２０】
図４のように、複数の表示装置２１，２２，２３，２４が制御回路１０によって制御されるようになっている。図１のように、表示装置２１，２２，２３，２４は、回転操作部６Ａ，６Ｂ，６Ｃ，６Ｄに対応してそれぞれ設けられ、表示装置２１，２２，２３，２４はいずれも、ＬＥＤなどの表示部を複数備えるとともに表示部を駆動する駆動回路をも備える。ブザー装置１２は、圧電ブザー装置などの公知のブザー装置として構成される。音声装置１４は、制御回路１０からの指示に応じて、メロディ、メッセージなどの音声を発する装置である。更に、制御回路１０には電磁弁５４Ｈ，５４Ｊ，５４Ｋをそれぞれ駆動する電磁弁駆動回路４８Ｈ，４８Ｊ，４８Ｋがそれぞれ接続されており、電磁弁駆動回路４８Ｈ，４８Ｊ，４８Ｋはいずれも、制御回路１０から駆動指示が与えられているときに対応する電磁弁を開放状態とし、制御回路１０から駆動停止指示が与えられているときに対応する電磁弁を閉塞状態とするように動作し得る。なお、図３で示す元電磁弁Ｎ１や、火力調整弁５１Ｅ，５２Ｅ，５３Ｅ、閉止弁５１Ｆ，５２Ｆ，５３Ｆ、電磁弁５１Ｇ，５２Ｇ，５３Ｇなども制御回路１０によって制御され得るが、図４では、これらを制御するための構成は省略している。電源回路５０は電池ボックスに収容された２つの乾電池４９からの電力供給を受け、所定の電源電圧を生成する機能を有し、電源回路５０で生成された電源電圧は、図示しない経路を介して様々な電気部品に供給される。
【００２１】
（モード設定）
次に、グリル庫３で行う調理のモード設定に説明する。
図４のように、グリル付きコンロ１は、設定操作部１８を備える。設定操作部１８は、グリル庫３で行う調理のモードを設定する操作に使用される操作部であり、操作パネル１８Ａと、操作情報入力回路１８Ｂとを備える。図１のように、回転操作部６Ｄの下方側に前面パネル７Ｃが設けられ、図１のような初期位置のときに前面パネル７Ｃに対して押圧操作がなされると、二点鎖線７Ｃ’のように前面パネル７Ｃが前側に傾倒した状態となり、この傾倒状態のときに、二点鎖線１８Ａ’で示す視認可能位置に操作パネル１８Ａが現れるようになっている。操作パネル１８Ａは、例えば図５のような構成をなし、グリル庫３の調理のための設定領域と、右コンロ部４Ａの調理のための設定領域とを含む。グリル庫３の調理のための設定領域には、表示部７４や複数の操作部７１，７２，７３Ａ，７３Ｂなどが設けられている。
【００２２】
設定操作部１８では、グリル庫３で行う調理のモードを「自動調理モード」に設定するモード設定操作を行うために少なくとも用いられる操作部である。以下の説明では、「自動調理モード」として、予め定められた方式でガスバーナ５４（グリルバーナ）を燃焼させる燃焼工程と、燃焼工程の後にガスバーナ５４の燃焼を停止させて余熱で調理を行う余熱工程と、を行う調理モードを例示する。具体的には、複数の自動調理モードが用意され、例えば、操作パネル１８Ａのメニューボタン（操作部７１）に対して所定の押圧操作が行われた場合に、制御回路１０は、グリル庫３でのモードを、自動調理モードの一つであるあたためモードに設定するようになっている。また、トーストモード、干物モード、切り身モード、姿焼きモードなどの各種自動調理モードも用意され、メニューボタン（操作部７１）に対して各モードに対応する操作がなされた場合に、制御回路１０は、グリル庫３での調理モードを操作に対応するモードに設定する。なお、操作パネル１８Ａに対して所定の解除操作がなされた場合、自動調理モードから通常モードに切り替わるようになっている。また、グリル付きコンロ１の電源投入時には、グリル庫３の調理モードが通常モードに設定されるようになっている。
【００２３】
（通常モードでの動作）
次に、通常モードのときのグリル庫３及び関連部分の動作について説明する。
回転操作部６Ｄは、グリルスイッチの一例に相当し、パネル側から露出する構成をなし、ガスバーナ５４（グリルバーナ）の点火操作及び消火操作に使用されるスイッチとなっている。ガスバーナ５４の消火時には、図１の実線のように、円筒状に構成された回転操作部６Ｄの前面部が後方に退避するようになっており、この退避状態のときに回転操作部６Ｄの前面部に対して押圧操作（点火操作）がなされると、この押圧操作（点火操作）に応じて回転操作部６Ｄが退避位置から突出位置に切り替わって突出位置で維持される。そして、このように回転操作部６Ｄが退避位置から突出位置に切り替わることに応じて、スイッチ３０Ｄがオフ状態からオン状態に切り替わってオン状態で維持され、スイッチ３０Ｄがオフ状態からオン状態に切り替わると、制御回路１０は、イグナイタ２８Ｄを動作させてガスバーナ５４を点火する。なお、突出位置にある回転操作部６Ｄの前面部に対して押圧操作がなされると、回転操作部６Ｄが退避位置に変位するとともに、この変位に応じてスイッチ３０Ｄがオフ状態に切り替わり、これに応じて制御回路１０は、ガスバーナ５４を消火状態に切り替える。
【００２４】
回転操作部６Ｄは、調整操作部の一例に相当し、ガスバーナ５４（グリルバーナ）の火力を調整する操作に用いられる。制御回路１０は、調理制御部の一例に相当し、設定操作部１８によって自動調理モードに設定するモード設定操作がなされていない状態で回転操作部６Ｄに対して上述の点火操作（退避状態からの押圧操作）がなされた場合、通常モードで動作し、ガスバーナ５４の火力を、回転操作部６Ｄ（調整操作部）の操作状態に応じた火力（具体的には、回転操作部６Ｄの回転位置に応じた火力）とするように、電磁弁５４Ｊ，５４Ｋ（火力調整部）を制御する。回転操作部６Ｄは、突出状態のとき、二点鎖線６Ｄ’のように、回転操作部６Ｄの前面部が退避状態（消火時の状態）のときよりも前方位置になるように構成されており、制御回路１０が通常モードで動作する場合、回転操作部６Ｄが突出状態のときに回転操作部６Ｄに対して回転操作がなされると、制御回路１０は、ガスバーナ５４の火力状態を回転操作部６Ｄの回転角度に対応した状態とするように電磁弁５４Ｊ，５４Ｋを制御する。具体的には、回転操作部６Ｄの回転角度を検出する変位検出部３２Ｄ（図１等では図示略）が設けられており、変位検出部３２Ｄは、回転操作部６Ｄの回転角度が第１の角度範囲、第２の角度範囲、第３の角度範囲、第４の角度範囲のいずれに該当するかを検出し得る。制御回路１０は、変位検出部３２Ｄによって検出される回転操作部６Ｄの回転角度に応じて電磁弁５４Ｊ，５４Ｋの開閉の組み合わせを定める。なお、回転操作部６Ｄに対して点火操作がなされた場合、制御回路１０は、消火操作がなされるまでの間、元電磁弁Ｎ１、電磁弁（安全弁）５４Ｇ、閉止弁５４Ｆを開放状態で維持する。
【００２５】
図３のように、上グリルバーナ５４Ａにガスを導く主経路として第１供給路６５Ａが構成され、この第１供給路６５Ａに設けられた電磁弁５４Ｊを迂回するように、電磁弁５４Ｊの経路と並列の経路であるバイパス路６６Ａが設けられている。電磁弁５４Ｈが開放した状態で電磁弁５４Ｊが閉じているときには分岐供給路６４によって導かれたガスはバイパス路６６Ａを通って上グリルバーナ５４Ａに供給される。この場合、上グリルバーナ５４Ａの火力は相対的に弱い状態（弱状態）となる。また、電磁弁５４Ｈ，５４Ｊがいずれも開いているときには分岐供給路６４によって導かれたガスは第１供給路６５Ａ又はバイパス路６６Ａを通って上グリルバーナ５４Ａに供給される。この場合、上グリルバーナ５４Ａの火力は相対的に強い状態（強状態）となる。また、下グリルバーナ５４Ｂにガスを導く主経路として第２供給路６５Ｂが構成され、この第２供給路６５Ｂに設けられた電磁弁５４Ｋを迂回するように、電磁弁５４Ｋの経路と並列の経路であるバイパス路６６Ｂが設けられている。電磁弁５４Ｋが閉じているときには分岐供給路６４によって導かれたガスはバイパス路６６Ｂを通って下グリルバーナ５４Ｂに供給される。この場合、下グリルバーナ５４Ｂでの火力は相対的に弱い状態（弱状態）となる。また、電磁弁５４Ｋが開いているときには分岐供給路６４によって導かれたガスは第２供給路６５Ｂ又はバイパス路６６Ｂを通って下グリルバーナ５４Ｂに供給される。この場合、下グリルバーナ５４Ｂでの火力は相対的に強い状態（強状態）となる。
【００２６】
ここで表示装置２４による表示について説明する。なお、図２は、グリル付きコンロ１の前面部の一部をなす前面パネル７Ａの領域を前側から見た状態を示している。図１、図２のように、表示装置２４は、前面パネル７Ａを介して前面パネル７Ａよりも前側に光を照射する構成をなしている。表示装置２４は、火力表示部の一例に相当し、図２のように前面パネル７Ａにおけるグリルスイッチの周囲（具体的には回転操作部６Ｄの上側）に表示領域が構成され、複数の第１発光表示部２５Ａ，２５Ｂ，２５Ｃを具備する上側表示部群２４Ａと、複数の第２発光表示部２６Ａ，２６Ｂ，２６Ｃを具備するとともに上側表示部群２４Ａの下側に配置される下側表示部群２４Ｂとを備えている。なお、以下の説明では、表示装置２４を火力表示部２４ともいう。また、図６、図７では、複数の第１発光表示部２５Ａ，２５Ｂ，２５Ｃ及び複数の第２発光表示部２６Ａ，２６Ｂ，２６Ｃのそれぞれの表示を白丸又は黒丸にて簡略的に示す。具体的には、点灯状態である場合を白丸で示し、消灯状態である場合を黒丸で示す。
【００２７】
制御回路１０は、通常モードで動作する場合において回転操作部６Ｄの回転角度が第１の角度範囲（所定の基準角度からの回転角度が０°〜１５°の角度範囲）であることが変位検出部３２Ｄによって検出された場合、ガスバーナ５４の火力を第１火力状態（上グリルバーナ５４Ａの火力が弱状態であり、下グリルバーナ５４Ｂの火力が弱状態である状態）にするとともに、図６（Ａ）のように、火力表示部２４の表示を第１の火力表示とする。制御回路１０は、通常モードで動作する場合において回転操作部６Ｄの回転角度が第２の角度範囲（所定の基準角度からの回転角度が１５°〜４５°の角度範囲）であることが変位検出部３２Ｄによって検出された場合、ガスバーナ５４の火力を第２火力状態（上グリルバーナ５４Ａの火力が強状態であり、下グリルバーナ５４Ｂの火力が弱状態である状態）にするとともに、図６（Ｂ）のように、火力表示部２４の表示を第２の火力表示とする。制御回路１０は、通常モードで動作する場合において回転操作部６Ｄの回転角度が第３の角度範囲（所定の基準角度からの回転角度が４５°〜７５°の角度範囲）であることが変位検出部３２Ｄによって検出された場合、ガスバーナ５４の火力を第３火力状態（上グリルバーナ５４Ａの火力が弱状態であり、下グリルバーナ５４Ｂの火力が強状態である状態）にするとともに、図６（Ｃ）のように、火力表示部２４の表示を第３の火力表示とする。制御回路１０は、通常モードので動作する場合において回転操作部６Ｄの回転角度が第４の角度範囲（所定の基準角度からの回転角度が７５°〜９０°の角度範囲）であることが変位検出部３２Ｄによって検出された場合、ガスバーナ５４の火力を第４火力状態（上グリルバーナ５４Ａの火力が強状態であり、下グリルバーナ５４Ｂの火力が強状態である状態）にするとともに、図６（Ｄ）のように、火力表示部２４の表示を第４の火力表示とする。なお、この例では、回転操作部６Ｄが所定の回転位置にあるときを基準角度とし、変位検出部３２Ｄは、基準角度からの回転角度がどの角度範囲になっているかを特定し得る構成であればよい。
【００２８】
制御回路１０は、火力表示部２４の表示を制御する「表示制御部」の一例に相当し、通常モードの場合には、火力表示部２４の表示を、火力調整部（電磁弁５４Ｊ、５４Ｋ）で調整されるガスバーナ５４の火力に対応する表示とするように機能し、具体的には、上側表示部群２４Ａの表示を、火力調整部で調整される上グリルバーナ５４Ａの火力に対応する表示とし、下側表示部群２４Ｂの表示を、火力調整部で調整される下グリルバーナ５４Ｂの火力に対応する表示とする。図６の例では、通常モードのときに上グリルバーナ５４Ａが弱状態である場合、上側表示部群２４Ａのうち第１発光表示部２５Ｂのみを点灯状態とし、第１発光表示部２５Ａ，２５Ｃを消灯状態とする。通常モードのときに下グリルバーナ５４Ｂが弱状態である場合、下側表示部群２４Ｂのうち第２発光表示部２６Ｂのみを点灯状態とし、第２発光表示部２６Ａ，２６Ｃを消灯状態とする。通常モードのときに上グリルバーナ５４Ａが強状態である場合、上側表示部群２４Ａの第１発光表示部２５Ａ，２５Ｂ，２５Ｃを全て点灯状態とする。通常モードのときに下グリルバーナ５４Ｂが強状態である場合、下側表示部群２４Ｂの第２発光表示部２６Ａ，２６Ｂ，２６Ｃを全て点灯状態とする。
【００２９】
（自動調理モードでの動作）
次に、自動調理モードのときのグリル庫３及び関連部分の動作について説明する。
本構成では、制御回路１０が調理制御部の一例に相当し、設定操作部１８によって自動調理モードに設定するモード設定操作がなされた状態で回転操作部６Ｄに対して上述の点火操作（退避状態からの押圧操作）がなされた場合、モード設定操作に対応する自動調理モードで動作し、予め定められた方式でガスバーナ５４（グリルバーナ）を燃焼させる燃焼工程と、燃焼工程の後にガスバーナ５４の燃焼を停止させて余熱で調理を行う余熱工程と、を行う。なお、ここでは、燃焼工程の後に余熱工程を行うような自動調理モードについて説明するが、燃焼工程の後に余熱工程を行わないような自動調理モードが用意されていてもよい。
【００３０】
自動調理モードは、燃焼工程において火力状態と燃焼時間の条件を定めた１種類の燃焼制御のみを行うような自動調理モードであってもよい。この場合、その１種類の燃焼制御における火力状態と燃焼時間の条件が、「予め定めた方式」となる。また、自動調理モードは、燃焼工程において複数種類の燃焼制御を行うような自動調理モードであってもよい。複数種類の燃焼制御を組み合わせる場合、燃焼制御毎に火力状態と燃焼時間の条件を定めておけばよい。この場合、燃焼制御毎の火力状態及び燃焼時間の条件が「予め定めた方式」となる。なお、いずれの場合でも、火力状態と燃焼時間の条件は、「第１火力状態で一定時間（例えば、１０分）」「第２火力状態でグリル庫３内の温度が閾値温度（例えば、一定温度、或いは、所定の演算式で定まる閾値温度など）に達するまでの時間」など、様々な組み合わせを採用し得る。余熱工程は、自動調理モードでの動作中に、ガスバーナ５４の消火後、グリル庫３内の余熱によって被調理物を調理する工程であり、例えば、燃焼工程の終了によってガスバーナ５４が消火した後、所定の終了条件が成立したときに余熱工程の終了を報知する工程とすることができる。制御回路１０は、余熱工程を行う場合、予め定められた余熱方式で行い得る。余熱方式としては、「ガスバーナ５４が消火状態となってから一定時間経過したときに終了を報知」「ガスバーナ５４が消火状態となってからグリル庫３内の温度が一定温度以下に低下したときに終了を報知」「ガスバーナ５４の消火後、グリル庫３内の温度が一定温度以下となってから一定時間で終了を報知」など、様々な余熱方式を採用し得る。例えば、自動調理モードの一つである「あたためモード」に設定されている場合、制御回路１０は、ガスバーナ５４の点火後、所定の火力状態（第１〜第４火力状態のうちの予め定められた火力状態）で所定の終了条件（例えば、グリル庫内の温度が閾値を超える条件）が成立するまでガスバーナ５４を燃焼させた後、ガスバーナ５４を消火し、余熱工程（例えば、ガスバーナ５４の消火後、一定時間経過したときに所定方法（ブザー音や表示部による所定表示など）で終了を報知する余熱工程）を行うようになっている。
【００３１】
表示制御部として機能する制御回路１０は、設定操作部１８によって自動調理モードに設定された場合（制御回路１０が自動調理モードで動作する場合）、いずれの自動調理モードの場合でも、図７のように、通常モードのときの火力対応表示とは異なる表示パターンとなるように火力表示部２４の表示を制御する。例えば、「あたためモード」のように、余熱工程を含んだ自動調理モードに設定されている場合、制御回路１０は、ガスバーナ５４の燃焼中の工程（燃焼工程）でも、ガスバーナ５４の燃焼後の工程（余熱工程）でも、図７のように上側表示部群２４Ａ及び下側表示部群２４Ｂでの表示位置を時間経過に応じて変化させるように表示制御を行う。図７の制御では、上側表示部群２４Ａ及び下側表示部群２４Ｂでの表示パターンを定期的に切り替える表示制御を行い、且つ、切り替える複数の表示パターンの中に、通常モードのときに表示されない表示パターンを含ませるようにしている。具体的には、上述した第１の火力表示（上側表示部群２４Ａにおいて第１発光表示部２５Ｂのみを点灯させ、下側表示部群２４Ｂにおいて第２発光表示部２６Ｂのみを点灯させた表示状態）と同様の第１表示状態を一定時間継続した後、通常モードのときにはなされない表示パターンである第２表示状態（上側表示部群２４Ａにおいて第１発光表示部２５Ｂのみを消灯させ、下側表示部群２４Ｂにおいて第２発光表示部２６Ｂのみを消灯させた表示状態）を一定時間継続し、再び第１表示状態を一定時間継続するといった方式で、第１表示状態と第２表示状態とを一定時間毎に切り替える。このような表示を余熱工程の終了まで行うようにすれば、余熱工程中も、自動調理モードが継続していることをユーザに知らせることができる。
【００３２】
なお、火力表示部２４は、所定の異常状態が発生したときのエラー表示にも兼用されるようになっている。制御回路１０は、火力表示部２４によってエラー表示を行う場合、通常モードのときの表示態様ではなく、自動調理モードのときの表示態様でもない、エラー表示用の表示態様で表示を行うようにすればよい。なお、エラー表示の場合の表示態様は、例えば、自動調理モードのときよりも点滅間隔を短くしたり長くしたりしてもよく、自動調理モードのときの表示パターンと異なる表示パターン（点灯する表示部の組み合わせ）で表示させるようにしてもよい。具体的には、例えば、火力表示部２４の全表示部（複数の第１発光表示部２５Ａ，２５Ｂ，２５Ｃ、及び複数の第２発光表示部２６Ａ，２６Ｂ，２６Ｃの全て）を点灯させる点灯状態と、全表示部を消灯させる消灯状態とを、所定の時間間隔（余熱工程のときに第１表示状態と第２表示状態とを切り替える時間間隔よりも短い又は長い時間間隔）で切り替えるようにすると良い。
【００３３】
ここで、本構成の効果を例示する。
グリル付きコンロ１は、火力表示部２４の表示を制御する表示制御部（制御回路１０）を有し、この表示制御部は、調理制御部（制御回路１０）が通常モードで動作する場合には、火力表示部２４の表示を、火力調整部で調整される火力に対応する表示とし、調理制御部（制御回路１０）が自動調理モードで動作する場合には、通常モードのときの火力対応表示とは異なる表示パターンとなるように火力表示部２４の表示を制御する。このように構成されるため、ユーザは、火力表示部２４の表示が火力対応表示（通常モード時に行われる表示であり、火力調整部で調整される火力に対応する表示）とは異なる表示パターンとなっている様子を見たときに、グリル付きコンロ１において自動調理モードの動作がなされていることを把握することができる。しかも、通常モードのときに火力対応表示を行う火力表示部２４を、自動調理モードの報知に兼用することができるため、自動調理モードが実行中であることをユーザに報知し得る構成を、部品点数を抑えた形で実現し得る。また、自動調理モードの動作中に余熱工程に移行した場合、グリルバーナ（ガスバーナ５４）が消火状態になると、調理が完了しているとユーザが誤認識し、余熱調理中の被調理物を誤って取り出してしまう等の誤操作がなされる懸念があるが、本構成によれば、余熱工程中に特徴的な表示を行うことで自動調理中であることを報知することができるため、上述の誤操作などがなされにくくなる。
【００３４】
本構成のグリル付きコンロ１は、調理制御部（制御回路１０）が通常モードで動作する場合、上グリルバーナ５４Ａ及び下グリルバーナ５４Ｂのそれぞれの火力状態を、火力表示部２４の表示によって具体的に知らせ得る。一方で、グリル付きコンロ１は、調理制御部（制御回路１０）が自動調理モードで動作する場合、少なくとも余熱工程のときに、上側表示部群２４Ａ及び下側表示部群２４Ｂの表示を時間経過に応じて動的に変化させ得る。このように、調理が完了しているとユーザが誤認識しやすい余熱工程において特徴的な動的表示を行うことができるため、自動調理モードが継続中であることをユーザがより確実に認識しやすくなる。
【００３５】
また、グリル付きコンロ１は、少なくとも余熱工程の実行中に、通常モードのときに表示されない表示パターンを含んだ動的表示がなされるため、ユーザはこの動的表示を見たときに、通常モードであると誤認識しにくく、自動調理モードであることを一層確実に認識しやすくなる。
【００３６】
＜他の実施例＞
本発明は上記記述及び図面によって説明した実施例に限定されるものではなく、例えば次のような例も本発明の技術的範囲に含まれる。
【００３７】
上述した実施例では、余熱工程を含んだ自動調理モードにおいて、燃焼工程及び余熱工程のときに図７のような表示（通常モードのときの火力対応表示とは異なる表示パターンとなる表示）を行う例を示したが、自動調理モードにおいて余熱工程のときにのみ、図７のような表示（通常モードのときの火力対応表示とは異なる表示パターンとなる表示）を行ってもよい。
【００３８】
上述した実施例では、回転操作部６Ｄの回転変位をエンコーダなどの回転角度センサ等として構成される変位検出部３２Ｄによって検出する例を示したが、変位検出部３２Ｄは、回転操作部６Ｄの回転角度（予め定められた基準回転位置（基準角度）から回転した角度）が、第１の角度範囲、第２の角度範囲、第３の角度範囲、第４の角度範囲のいずれに該当するかを特定し得る構成であればよい。例えば、複数のスイッチ（例えば、第１スイッチ及び第２スイッチ）を用い、これらのオンオフの組み合わせが回転操作部６Ｄの回転角度範囲に対応した組み合わせとなるように構成してもよい。一例を挙げると、回転操作部６Ｄの基準位置（基準角度）からの回転角度が第１の角度範囲内のときに第１スイッチ及び第２スイッチがいずれもオフとなり、第２の角度範囲内のときに第１スイッチのみがオンとなり、第３の角度範囲内のときに第１スイッチ及び第２スイッチがいずれもオンとなり、第４の角度範囲内のときに第２スイッチのみがオンとなるような第１スイッチ及び第２スイッチを変位検出部３２Ｄとしてもよい。
【符号の説明】
【００３９】
１…グリル付きコンロ、２…筐体部、３…グリル庫、６Ｄ…回転操作部（グリルスイッチ、調整操作部）、７Ａ，７Ｂ…前面パネル、１０…制御回路（調理制御部、表示制御部）、１８…設定操作部、２４…火力表示部、２４Ａ…上側表示部群、２４Ｂ…下側表示部群、２５Ａ，２５Ｂ，２５Ｃ…第１発光表示部、２６Ａ，２６Ｂ，２６Ｃ…第２発光表示部、５４…ガスバーナ（グリルバーナ）、５４Ａ…上グリルバーナ、５４Ｂ…下グリルバーナ、５４Ｊ…電磁弁（火力調整部）、５４Ｋ…電磁弁（火力調整部）
【図１】
2019044978.tif 000003
【図２】
2019044978.tif 000004
【図３】
2019044978.tif 000005
【図４】
2019044978.tif 000006
【図５】
2019044978.tif 000007
【図６】
2019044978.tif 000008
【図７】
2019044978.tif 000009